【手続補正書】
【提出日】平成20年5月16日(2008.5.16)
【手続補正１】
【補正対象書類名】明細書
【補正対象項目名】特許請求の範囲
【補正方法】変更
【補正の内容】
【特許請求の範囲】
【請求項１】式（１）で示される構造単位の少なくとも１種を有することを特徴とするポリアミド。
2002363280.tif 000001
（式中、Ｒ１はジアミノ化合物由来の２価の有機残基であり、Ｒ２およびＲ３はそれぞれ独立してＨまたは１価の有機基であり、Ｙ１およびＹ２はそれぞれ独立して炭素数１〜５の直鎖もしくは分岐のアルキレンであり、Ｒ４およびＲ５はそれぞれ独立してＦまたは炭素数１〜１２のアルキルであり、ベンゼン環に対するＹ１、Ｙ２、Ｒ４およびＲ５の結合位置はそれぞれ任意の位置である。そして前記１価の有機基は、炭素数１〜２０の直鎖もしくは分岐のアルキル、または置換もしくは無置換の脂環式基、芳香族基もしくは複素環式基であり、これらの基はＯまたはＣＯを介してＮと結合してもよく、ＳｉまたはＰを含むものであってもよく、これらの基中の任意のＨはハロゲン、ＯＨ、ＮＨ２、ＣＮ、置換もしくは無置換の脂環式基、芳香族基もしくはＮを含む複素環式基、またはステロイド基で置換されていてもよく、１価の有機基がアルキルであるときには、このアルキル中の相隣接しないＣＨ２は、Ｏ、ＣＨ＝ＣＨまたはＣ≡Ｃで置換されてもよいが、このアルキルがＯを介してＮと結合する場合にはＯが連続することはない。）
【請求項２】式（１）で示される構造単位におけるＲ１が、式（２）で示される基および式（３）で示される基からなる群から選択される基であることを特徴とする、請求項１に記載のポリアミド。
2002363280.tif 000002
（式中、Ｒ６はＨまたは炭素数１〜１２のアルキル、環Ａはベンゼン環またはシクロヘキサン環、Ｚは単結合、ＣＨ２、ＣＨ２ＣＨ２またはＯであり、ｒは０〜３、ｓは０〜５、ｔは０〜３のそれぞれ整数であるが、ｔが１〜３の場合、複数のＺは互いに同じでも異なっていてもよい。また、任意のベンゼン環またはシクロヘキサン環上のＨは炭素数１〜４のアルキルで置換されていてもよい。）
2002363280.tif 000003
（式中、Ｘ１およびＸ２はそれぞれ独立して単結合、Ｏ、ＣＯＯ、ＯＣＯ、ＮＨ、ＣＯＮＨまたは炭素数１〜１２のアルキレンであり、Ｂ１およびＢ２はそれぞれ独立して単結合、または芳香族環および脂環式環から選ばれる１〜３個の環を含む二価の基を示し、Ｒ７はＨ、Ｆ、ＣＮ、ＯＨまたは炭素数１〜１２のアルキル、フルオロアルキルもしくはアルコキシを示す。また、ベンゼン環に対する置換基の結合位置および２個の遊離基の位置は任意の位置である。）
【請求項３】式（１）で示される構造単位におけるＲ１が、式（２）で示される基からなる群から選択される基であることを特徴とする、請求項２に記載のポリアミド。
【請求項４】式（１）で示される構造単位におけるＲ１が、式（３）で示される基からなる群から選択される基であることを特徴とする、請求項２に記載のポリアミド。
【請求項５】式（１−１）および式（１−２）のそれぞれで示される構造単位を有することを特徴とするポリアミド。
2002363280.tif 000004

【請求項６】式（１−２）および式（１−３）のそれぞれで示される構造単位を有することを特徴とするポリアミド。
2002363280.tif 000005

【請求項７】式（１−１）および式（１−４）のそれぞれで示される構造単位を有することを特徴とするポリアミド。
2002363280.tif 000006

【請求項８】式（１−１）および式（１−５）のそれぞれで示される構造単位を有することを特徴とするポリアミド。
2002363280.tif 000007

【請求項９】式（１−５）で示される構造単位を有することを特徴とするポリアミド。
2002363280.tif 000008

【請求項１０】式（１−６）および式（１−７）のそれぞれで示される構造単位を有することを特徴とするポリアミド。
2002363280.tif 000009

【請求項１１】式（１−１）、式（１−２）、式（１−８）および式（１−９）のそれぞれで示される構造単位を有することを特徴とするポリアミド。
2002363280.tif 000010

【請求項１２】式（１−１０）および式（１−１１）のそれぞれで示される構造単位を有することを特徴とするポリアミド。
2002363280.tif 000011

【請求項１３】式（１−１２）および式（１−１３）のそれぞれで示される構造単位を有することを特徴とするポリアミド。
2002363280.tif 000012

【請求項１４】式（１−１４）および式（１−１５）のそれぞれで示される構造単位を有することを特徴とするポリアミド。
2002363280.tif 000013

【請求項１５】式（１−１６）および式（１−１７）のそれぞれで示される構造単位を有することを特徴とするポリアミド。
2002363280.tif 000014

【請求項１６】式（１１）で示される構造単位の少なくとも１種を有するポリアミドが少なくとも１種含まれていることを特徴とする液晶配向剤ワニス。
2002363280.tif 000015
（式中、Ｒ１はジアミノ化合物由来の２価の有機残基であり、Ｒ２およびＲ３はそれぞれ独立してＨまたは１価の有機基であり、Ｙ１およびＹ２はそれぞれ独立して炭素数１〜５の直鎖もしくは分岐のアルキレンであり、Ｒ４およびＲ５はそれぞれ独立してＦまたは炭素数１〜１２のアルキルであり、ベンゼン環に対するＹ１、Ｙ２、Ｒ４およびＲ５の結合位置はそれぞれ任意の位置である。そして前記１価の有機基は、炭素数１〜２０の直鎖もしくは分岐のアルキル、または置換もしくは無置換の脂環式基、芳香族基もしくは複素環式基であり、これらの基はＯまたはＣＯを介してＮと結合してもよく、ＳｉまたはＰを含むものであってもよく、これらの基中の任意のＨはハロゲン、ＯＨ、ＮＨ２、ＣＮ、置換もしくは無置換の脂環式基、芳香族基もしくはＮを含む複素環式基、またはステロイド基で置換されていてもよく、１価の有機基がアルキルであるときには、このアルキル中の相隣接しないＣＨ２は、Ｏ、ＣＨ＝ＣＨまたはＣ≡Ｃで置換されてもよいが、このアルキルがＯを介してＮと結合する場合にはＯが連続することはない。）
【請求項１７】式（１１）で示される構造単位におけるＲ１が、式（２）で示される基および式（３）で示される基からなる群から選択される基であることを特徴とする、請求項１６に記載の液晶配向剤ワニス。
2002363280.tif 000016
（式中、Ｒ６はＨまたは炭素数１〜１２のアルキル、環Ａはベンゼン環またはシクロヘキサン環、Ｚは単結合、ＣＨ２、ＣＨ２ＣＨ２またはＯであり、ｒは０〜３、ｓは０〜５、ｔは０〜３のそれぞれ整数であるが、ｔが１〜３の場合、複数のＺは互いに同じでも異なっていてもよい。また、任意のベンゼン環またはシクロヘキサン環上のＨは炭素数１〜４のアルキルで置換されていてもよい。）
2002363280.tif 000017
（式中、Ｘ１およびＸ２はそれぞれ独立して単結合、Ｏ、ＣＯＯ、ＯＣＯ、ＮＨ、ＣＯＮＨまたは炭素数１〜１２のアルキレンであり、Ｂ１およびＢ２はそれぞれ独立して単結合、または芳香族環および脂環式環から選ばれる１〜３個の環を含む二価の基を示し、Ｒ７はＨ、Ｆ、ＣＮ、ＯＨまたは炭素数１〜１２のアルキル、フルオロアルキルもしくはアルコキシを示す。また、ベンゼン環に対する置換基の結合位置および２個の遊離基の位置は任意の位置である。）
【請求項１８】式（１１）で示される構造単位におけるＲ１が、式（２）で示される基からなる群から選択される基であることを特徴とする、請求項１７に記載の液晶配向剤ワニス。
【請求項１９】式（１１）で示される構造単位におけるＲ１が、式（３）で示される基からなる群から選択される基であることを特徴とする、請求項１７に記載の液晶配向剤ワニス。
【請求項２０】ポリアミド中の全アミド基に対する、請求項１６に記載の１価の有機基の少なくとも１種によってＨが置換されたアミド基の割合が、モル比で０．３〜１であることを特徴とする、請求項１６〜１９のいずれか１項に記載の液晶配向剤ワニス。
【請求項２１】請求項５〜１５のいずれか１項に記載のポリアミドが含まれていることを特徴とする液晶配向剤ワニス。
【請求項２２】ポリアミド酸、可溶性ポリイミドおよび式（１１）で示される構造単位を含まないポリアミドから選ばれる１種以上の高分子化合物が含まれていることを特徴とする、請求項１６〜２１のいずれか１項に記載の液晶配向剤ワニス。
【請求項２３】高分子化合物成分の濃度が０．１〜４０重量％であることを特徴とする、請求項１６〜２２のいずれか１項に記載の液晶配向剤ワニス。
【請求項２４】請求項１６〜２３のいずれか１項に記載の液晶配向剤ワニスが用いられていることを特徴とする液晶表示素子。
【手続補正２】
【補正対象書類名】明細書
【補正対象項目名】００１０
【補正方法】変更
【補正の内容】
【００１０】
【課題を解決するための手段】
本発明者等は、前記の課題を解決するべく鋭意研究した結果、液晶表示素子に使用される液晶配向剤ワニスとして、下記の構成によるポリアミドを含有するものを使用することにより、特に適度なプレチルト角と、更なる電圧保持率の向上が達成可能であることを見出し、これらの知見を元に本発明を達成した。即ち、本発明は下記の構成を有する。
（１）式（１）で示される構造単位の少なくとも１種を有することを特徴とするポリアミド。
2002363280.tif 000018
（式中、Ｒ１はジアミノ化合物由来の２価の有機残基であり、Ｒ２およびＲ３はそれぞれ独立してＨまたは１価の有機基であり、Ｙ１およびＹ２はそれぞれ独立して炭素数１〜５の直鎖もしくは分岐のアルキレンであり、Ｒ４およびＲ５はそれぞれ独立してＦまたは炭素数１〜１２のアルキルであり、ベンゼン環に対するＹ１、Ｙ２、Ｒ４およびＲ５の結合位置はそれぞれ任意の位置である。そして前記１価の有機基は、炭素数１〜２０の直鎖もしくは分岐のアルキル、または置換もしくは無置換の脂環式基、芳香族基もしくは複素環式基であり、これらの基はＯまたはＣＯを介してＮと結合してもよく、ＳｉまたはＰを含むものであってもよく、これらの基中の任意のＨはハロゲン、ＯＨ、ＮＨ２、ＣＮ、置換もしくは無置換の脂環式基、芳香族基もしくはＮを含む複素環式基、またはステロイド基で置換されていてもよく、１価の有機基がアルキルであるときには、このアルキル中の相隣接しないＣＨ２は、Ｏ、ＣＨ＝ＣＨまたはＣ≡Ｃで置換されてもよいが、このアルキルがＯを介してＮと結合する場合にはＯが連続することはない。）
（２）式（１）で示される構造単位におけるＲ１が、式（２）で示される基および式（３）で示される基からなる群から選択される基であることを特徴とする、前記（１）項に記載のポリアミド。
2002363280.tif 000019
（式中、Ｒ６はＨまたは炭素数１〜１２のアルキル、環Ａはベンゼン環またはシクロヘキサン環、Ｚは単結合、ＣＨ２、ＣＨ２ＣＨ２またはＯであり、ｒは０〜３、ｓは０〜５、ｔは０〜３のそれぞれ整数であるが、ｔが１〜３の場合、複数のＺは互いに同じでも異なっていてもよい。また、任意のベンゼン環またはシクロヘキサン環上のＨは炭素数１〜４のアルキルで置換されていてもよい。）
2002363280.tif 000020
（式中、Ｘ１およびＸ２はそれぞれ独立して単結合、Ｏ、ＣＯＯ、ＯＣＯ、ＮＨ、ＣＯＮＨまたは炭素数１〜１２のアルキレンであり、Ｂ１およびＢ２はそれぞれ独立して単結合、または芳香族環および脂環式環から選ばれる１〜３個の環を含む二価の基を示し、Ｒ７はＨ、Ｆ、ＣＮ、ＯＨまたは炭素数１〜１２のアルキル、フルオロアルキルもしくはアルコキシを示す。また、ベンゼン環に対する置換基の結合位置および２個の遊離基の位置は任意の位置である。）
（３）式（１）で示される構造単位におけるＲ１が、式（２）で示される基からなる群から選択される基であることを特徴とする、前記（２）項に記載のポリアミド。
（４）式（１）で示される構造単位におけるＲ１が、式（３）で示される基からなる群から選択される基であることを特徴とする、前記（２）項に記載のポリアミド。
（５）式（１−１）および式（１−２）のそれぞれで示される構造単位を有することを特徴とするポリアミド。
2002363280.tif 000021

（６）式（１−２）および式（１−３）のそれぞれで示される構造単位を有することを特徴とするポリアミド。
2002363280.tif 000022

（７）式（１−１）および式（１−４）のそれぞれで示される構造単位を有することを特徴とするポリアミド。
2002363280.tif 000023

（８）式（１−１）および式（１−５）のそれぞれで示される構造単位を有することを特徴とするポリアミド。
2002363280.tif 000024

（９）式（１−５）で示される構造単位を有することを特徴とするポリアミド。
2002363280.tif 000025

（１０）式（１−６）および式（１−７）のそれぞれで示される構造単位を有することを特徴とするポリアミド。
2002363280.tif 000026

（１１）式（１−１）、式（１−２）、式（１−８）および式（１−９）のそれぞれで示される構造単位を有することを特徴とするポリアミド。
2002363280.tif 000027

（１２）式（１−１０）および式（１−１１）のそれぞれで示される構造単位を有することを特徴とするポリアミド。
2002363280.tif 000028

（１３）式（１−１２）および式（１−１３）のそれぞれで示される構造単位を有することを特徴とするポリアミド。
2002363280.tif 000029

（１４）式（１−１４）および式（１−１５）のそれぞれで示される構造単位を有することを特徴とするポリアミド。
2002363280.tif 000030

（１５）式（１−１６）および式（１−１７）のそれぞれで示される構造単位を有することを特徴とするポリアミド。
2002363280.tif 000031

（１６）式（１１）で示される構造単位の少なくとも１種を有するポリアミドが少なくとも１種含まれていることを特徴とする液晶配向剤ワニス。
2002363280.tif 000032
（式中、Ｒ１はジアミノ化合物由来の２価の有機残基であり、Ｒ２およびＲ３はそれぞれ独立してＨまたは１価の有機基であり、Ｙ１およびＹ２はそれぞれ独立して炭素数１〜５の直鎖もしくは分岐のアルキレンであり、Ｒ４およびＲ５はそれぞれ独立してＦまたは炭素数１〜１２のアルキルであり、ベンゼン環に対するＹ１、Ｙ２、Ｒ４およびＲ５の結合位置はそれぞれ任意の位置である。そして前記１価の有機基は、炭素数１〜２０の直鎖もしくは分岐のアルキル、または置換もしくは無置換の脂環式基、芳香族基もしくは複素環式基であり、これらの基はＯまたはＣＯを介してＮと結合してもよく、ＳｉまたはＰを含むものであってもよく、これらの基中の任意のＨはハロゲン、ＯＨ、ＮＨ２、ＣＮ、置換もしくは無置換の脂環式基、芳香族基もしくはＮを含む複素環式基、またはステロイド基で置換されていてもよく、１価の有機基がアルキルであるときには、このアルキル中の相隣接しないＣＨ２は、Ｏ、ＣＨ＝ＣＨまたはＣ≡Ｃで置換されてもよいが、このアルキルがＯを介してＮと結合する場合にはＯが連続することはない。）
（１７）式（１１）で示される構造単位におけるＲ１が、式（２）で示される基および式（３）で示される基からなる群から選択される基であることを特徴とする、前記（１６）項に記載の液晶配向剤ワニス。
2002363280.tif 000033
（式中、Ｒ６はＨまたは炭素数１〜１２のアルキル、環Ａはベンゼン環またはシクロヘキサン環、Ｚは単結合、ＣＨ２、ＣＨ２ＣＨ２またはＯであり、ｒは０〜３、ｓは０〜５、ｔは０〜３のそれぞれ整数であるが、ｔが１〜３の場合、複数のＺは互いに同じでも異なっていてもよい。また、任意のベンゼン環またはシクロヘキサン環上のＨは炭素数１〜４のアルキルで置換されていてもよい。）
2002363280.tif 000034
（式中、Ｘ１およびＸ２はそれぞれ独立して単結合、Ｏ、ＣＯＯ、ＯＣＯ、ＮＨ、ＣＯＮＨまたは炭素数１〜１２のアルキレンであり、Ｂ１およびＢ２はそれぞれ独立して単結合、または芳香族環および脂環式環から選ばれる１〜３個の環を含む二価の基を示し、Ｒ７はＨ、Ｆ、ＣＮ、ＯＨまたは炭素数１〜１２のアルキル、フルオロアルキルもしくはアルコキシを示す。また、ベンゼン環に対する置換基の結合位置および２個の遊離基の位置は任意の位置である。）
（１８）式（１１）で示される構造単位におけるＲ１が、式（２）で示される基からなる群から選択される基であることを特徴とする、前記（１７）項に記載の液晶配向剤ワニス。
（１９）式（１１）で示される構造単位におけるＲ１が、式（３）で示される基からなる群から選択される基であることを特徴とする、前記（１７）項に記載の液晶配向剤ワニス。
（２０）ポリアミド中の全アミド基に対する、前記（１６）項に記載の１価の有機基の少なくとも１種によってＨが置換されたアミド基の割合が、モル比で０．３〜１であることを特徴とする、前記（１６）〜（１９）項のいずれか１項に記載の液晶配向剤ワニス。
（２１）前記（５）〜（１５）のいずれか１項に記載のポリアミドが含まれていることを特徴とする液晶配向剤ワニス。
（２２）ポリアミド酸、可溶性ポリイミドおよび式（１１）で示される構造単位を含まないポリアミドから選ばれる１種以上の高分子化合物が含まれていることを特徴とする、前記（１６）〜（２１）項のいずれか１項に記載の液晶配向剤ワニス。
（２３）高分子化合物成分の濃度が０．１〜４０重量％であることを特徴とする、前記（１６）〜（２２）項のいずれか１項に記載の液晶配向剤ワニス。
（２４）前記（１６）〜（２３）項のいずれか１項に記載の液晶配向剤ワニスが用いられていることを特徴とする液晶表示素子。
【手続補正３】
【補正対象書類名】明細書
【補正対象項目名】００７９
【補正方法】変更
【補正の内容】
【００７９】
表１８に記載の実施例のうち、実施例１〜５および８〜１３は請求項１に記載のポリアミドの範囲外のＮ置換ポリアミドを使用しているが、上記のように請求項１に記載のポリアミドであるＮＰＡ６およびＮＰＡ７と同等の効果を示している。即ち、ＮＰＡ１〜ＮＰＡ５およびＮＰＡ８〜ＮＰＡ１３は、請求項１には含まれないが本発明のポリアミドである。上記の結果から、本発明の液晶配向剤ワニスの電圧保持率はすべて９８％以上であり、比較例１のテレフタル酸を原料とするポリアミドを用いた場合の電圧保持率より高いことがわかる。また、液晶に適度なプレチルト角を与え、良好な配向特性を有し、総合的にバランスの優れたものであることがわかる。